(57)【要約】【課題】  使用者が扱いやすく、またその他コンピュータの周辺デバイスの機能を具え、コンピュータを使用する上でさらに便利なマルチ機能を有する光学式マウスを提供する。【解決手段】  本体外部にマウスホイールと、マウスボタンと、セレクトスイッチとを設け、本体内部に多層プリント回路を設けてなり、該多層プリント回路が互いに電気的に接続するＵＳＢハブ回路と、マウス専用集積回路と、光学センサ回路と、ディスプレー制御回路と、システム制御回路と、ＵＳＢボイスコントロール回路と、ボイスコーデック回路と、エコー消去回路と、ファンクション選択回路と、インタフェイス・スイッチング回路と、ＵＳＢストレージ制御集積回路と、ＭＰ３プレーヤー専用集積回路と、マルチ・メモリカードソケットとを含む。【選択図】  図１
0003129174.tif 000002
【実用新案登録請求の範囲】
【請求項１】
マウス本体外部にマウスホイールと、マウスボタンと、セレクトスイッチとを設け、マウス本体内部に多層プリント回路を設けてなり、
該多層プリント回路が、互いに電気的に接続するＵＳＢハブ回路と、マウス専用集積回路と、光学センサ回路と、ディスプレー制御回路と、システム制御回路と、ＵＳＢボイスコントロール回路と、ボイスコーデック回路と、エコー消去回路と、ファンクション選択回路と、インタフェイス・スイッチングと、ＵＳＢストレージ制御集積回路と、ＭＰ３プレーヤー専用集積回路と、マルチ・メモリカードソケットとを含み、
該セレクトスイッチを操作することによって、インターネットテレフォンによる通話、インターネットテレフォンによる会議などを行う機能と、通話の内容を録音し、ファイルにアクセスし、音楽データを再生及び保存する機能が得られるように構成することを特徴とするマルチ機能を有する光学式マウス。
【請求項２】
前記マウス本体の外面に、該ディスプレー制御回路に対応する表示装置を設けることを特徴とする請求項１に記載のマルチ機能を有する光学式マウス。
【請求項３】
前記マウス本体の外面に、該ＭＰ３プレーヤー専用集積回路に対応するイヤホーンジャックと、スピーカーと、マイクロフォンジャックと、マイクロフォンとを設けることを特徴とする請求項１に記載のマルチ機能を有する光学式マウス。
【請求項４】
前記マウス本体の外部に、該システム制御回路に対応する制御ボタンを設けることを特徴とする請求項１に記載のマルチ機能を有する光学式マウス。
【請求項５】
前記マルチ・メモリカードソケットが、CFカードとＳＤカードと、ＭＭＣカードと、ＲＳ−ＭＭＳカードと、ＭＳ−Duoカードと、ＭｉｎｉＳＤカードなどに対応することを特徴とする請求項１に記載のマルチ機能を有する光学式マウス。
【考案の詳細な説明】
【技術分野】
【０００１】
この考案はコンピュータのマウスに関し、特にコンピュータの周辺デバイスとしての多機能を具えたマルチ機能の光学式マウスに関する。
【背景技術】
【０００２】
マウスは、操作が便利なことからコンピュータにとって欠くことのできない周辺デバイスとなっている。マウスにはトラックボールマウス、機械式マウス、光学式マウスを含むが、その中でも光学式マウスは、ボールを転がして移動量と移動方向を検出する必要がないため、汚れが蓄積して回転機構の動きに阻害を与えることがなく、またインチ毎の表示ポイントが多く、移動する距離も制御しやすいことから、好ましいマウスとされていて、従来の形式のマウスに取って代わろうとしている。
【０００３】
しかしながら、光学式マウスも含め、マウスそのものに欠点がないというわけでもない。マウスは、広く使用されていて、人体工学の原理に適うように、掌に接触する部位、面積、手で握る体積などについて特殊な設計を施したものが開発されている。但し、マウス自体はコンピュータの表示装置の画面を切り替える程度の機能しかない。このように簡易な周辺デバイスに特殊な設計を施すのは浪費の嫌いがある。しかし、電子製品がより薄く、軽量化して行く傾向の中で、体積が縮小されたマウスも見かけるようになったが、これではかえって手で握る場合にしっかり握った感じがしない。
【０００４】
さらには、最近のパーソナルコンピュータは数多くの周辺デバイスを接続することができるようになった。これらの使用率はかなり高い。このため、プラグを抜き差しすることを頻繁に行うようになる。特にデスクトップタイプのコンピュータで、コンピュータ本体を机の下に設置した場合、プラグを抜き差し動作は腰をかがめなくてはならないため、面倒で不便である。
【考案の開示】
【考案が解決しようとする課題】
【０００５】
そこで、この考案は、使用者が扱いやすく、またその他コンピュータの周辺デバイスの機能を具え、コンピュータを使用する上でさらに便利なマルチ機能を有する光学式マウスを提供することを課題とする。
【０００６】
そこで、本考案者は従来の技術に見られる欠点に鑑みて鋭意研究を重ねた結果、本体外部にマウスホイールと、マウスボタンと、セレクトスイッチとを設け、本体内部に多層プリント回路を設けてなり、
該多層プリント回路が、互いに電気的に接続するＵＳＢハブ回路と、マウス専用集積回路と、光学センサ回路と、ディスプレー制御回路と、システム制御回路と、ＵＳＢボイスコントロール回路と、ボイスコーデック回路と、エコー消去回路と、ファンクション選択回路と、インタフェイス・スイッチング回路と、ＵＳＢストレージ制御集積回路と、ＭＰ３プレーヤー専用集積回路と、マルチ・メモリカードソケットとを含む光学式マウスによって課題を解決できる点に鑑み、係る知見に基づいて本考案を完成させた。
【０００７】
以下、この考案について具体的に説明する。
請求項１に記載するマルチ機能を具えた光学式マウスは、本体外部にマウスホイールと、マウスボタンと、セレクトスイッチとを設け、本体内部に多層プリント回路を設けてなり、
該多層プリント回路が、互いに電気的に接続するＵＳＢハブ回路と、マウス専用集積回路と、光学センサ回路と、ディスプレー制御回路と、システム制御回路と、ＵＳＢボイスコントロール回路と、ボイスコーデック回路と、エコー消去回路と、ファンクション選択回路と、インタフェイス・スイッチングと、ＵＳＢストレージ制御集積回路と、ＭＰ３プレーヤー専用集積回路と、マルチ・メモリカードソケットとを含む。
【０００８】
請求項２に記載するマルチ機能を具えた光学式マウスは、請求項１におけるマウス本体の外面に、該ディスプレー制御回路に対応する表示装置を設ける。
【０００９】
請求項３に記載するマルチ機能を具えた光学式マウスは、請求項１におけるマウス本体の外部に、該ＭＰ３プレーヤー専用集積回路に対応するイヤホーンジャックと、スピーカーと、マイクロフォンジャックと、マイクロフォンとを設ける。
【００１０】
請求項４に記載するマルチ機能を具えた光学式マウスは、請求項１におけるマウス本体の外面に、該システム制御回路に対応する制御ボタンを設ける。
【００１１】
請求項５に記載するマルチ機能を具えた光学式マウスは、請求項１におけるマルチ・メモリカードソケットが、CFカードとＳＤカードと、ＭＭＣカードと、ＲＳ−ＭＭＳカードと、ＭＳ−Duoカードと、ＭｉｎｉＳＤカードなどに対応する。
【考案の効果】
【００１２】
この考案によるマルチ機能を具える光学式マウスは、インターネットテレフォンを利用して通話したり、通話の内容を記録したり、MP3形式の音楽データの保存、再生をしたりするといったマルチ機能を具えるため、光学式マウスに付加価値が生まれるとともに、かかるマウスを接続するコンピュータシステム自体も使用上便利になるといった利点を有する。
【考案を実施するための最良の形態】
【００１３】
この考案によるマルチ機能を有する光学式マウスについて、その構造と特徴を説明するために、具体的な実施例を挙げ、図面を参照にして以下に説明する。する。
【００１４】
図１、２に開示するように、この考案による光学式マウス１は、従来のマウスと同様に、マウスホイール５０とマウスボタン５１を具える。但し、これらは一般のマウスが具えるものであって、本考案の技術上の特徴ではない。よって、詳述しない。
【００１５】
図１には、この考案による光学マウス１の内部に設ける多層プリント回路４と、パーソナルコンピュータ３と、外部接続部分とを開示する。
【００１６】
外部接続部分には、インターネットテレフォンのドライバープログラムを記憶したインストール用の光ディスク２、市販されるチップ式メモリカード２１、例えばCFカード、ＳＤカード、ＭＭＣカード、ＲＳ−ＭＭＳカード、ＭＳ−Duoカード、ＭｉｎｉＳＤカードなどを含む。
【００１７】
この考案による光学式マウス１はＵＳＢケーブル１０を介してパーソナルコンピュータ３のＵＳＢポート３０に接続する。
【００１８】
この考案による光学式マウス１は、マルチ機能を具えるマウスであって、マウス本体の内部に多層プリント回路４を具える。実施例における多層プリント回路４は、ＵＳＢハブ回路４０、マウス専用集積回路４１、光学センサ回路４２、マウスホイール５０、マウスボタン５１、ディスプレー制御回路４３、表示装置５２、システム制御回路４４、ＵＳＢボイスコントロール回路４４１、ボイスコーデック回路４４２、制御ボタン５３、エコー消去回路４４３、ファンクション選択回路４５、セレクトスイッチ５４、イヤホーンジャック５５、スピーカー５６、マイクロフォンジャック５７、マイクロフォン５８、インタフェイス・スイッチング回路４６、ＵＳＢストレージ制御集積回路４７、ＭＰ３プレーヤー専用集積回路４８、マルチ・メモリカードソケット４９を具える。
【００１９】
図２に、この考案による光学式マウス１の外観を開示する。図面によれば、光学式マウス１は、上面前半部にマウスホイール５０を具え、マウスホイール５０の両側にそれぞれマウスボタン５１を設ける。また、マウスホイール５０の前方にマイクロフォン５８を設け、後方に制御ボタン５３を設ける。さらにマウス１の上面のほぼ中央の位置に表示装置５２を具える。また、後端に近い位置にはスピーカー５６を設ける。さらに、光学式マウス１の側面の前端に近い位置にイヤホーンジャック５５と、マイクロフォンジャック５７を設ける。制御ボタン５３は、例えば電話の受信、通信切断ボタン、音量調整ボタン、音調調整ボタン、ミュートボタンなどである。
【００２０】
図３に、他方から見た光学式マウス１の外観を開示する。光学式マウス１の側面にはセレクトスイッチ５４を設ける。セレクトスイッチ５４は、音声の再生、保存、個人ファイルへのアクセスなどのモードを切り替えるスイッチであり、さらに録音ボタンを含む。
【００２１】
図４に開示するように、光学式マウス１の底面の後半部にはマルチ・メモリカードソケット４９を設ける。
【００２２】
光学式マウス１をパーソナルコンピュータ３に接続する場合、ＵＳＢケーブル１０を介してパーソナルコンピュータ３のＵＳＢポート３０に接続する。この場合、パーソナルコンピュータ３は、接続された光学式マウス１の機能を感知して、コンピュータに内蔵され、且つそのマウスの機能に対応するドライバープログラムを自動的にインストールして、表示装置の画面に表示されるカーソルを制御する。
【００２３】
この考案による光学式マウス１は、ＵＳＢハブ回路４０を利用して三種類のデバイスの機能を整合するものであって、これらデバイスには制御装置、ビデオ装置、記憶装置を含む。また、システム制御回路４４によって、例えば表示装置５２の表示する内容、すべてのボタンが触発したか否か、回路の通電、または切断、インターネットテレフォンのアプリケーションプログラムと光学式マウス１との間の通信などの制御と全体的な協調性を取る。
【００２４】
光学式マウス１の動作について、光学式マウス１が移動すると内部に設けた多層プリント回路４の光学センサ回路４２が移動量と移動方向を検出し、また、マウスホイール５０をマウスボタン５１などの機械的手段が触発されたか、否かを検知して電気信号をＵＳＢインタフェイスに送信し、マウス専用集積回路４１によってＵＳＢ通信規格に適う符号に編集し、そのシリアルデータを、ＵＳＢケーブル１０を介してパーソナルコンピュータ３に伝送し、パーソナルコンピュータ３の表示装置に表示されるカーソルが同期して正確な反応を示すようにする。
【００２５】
上述する光学式マウス１のインターネットテレフォンの機能を利用してオンラインで通話する場合、制御ボタン５３の受信、通信切断ボタンを直接操作する。通話時における先方の音声は、スピーカー５６から出力され、使用者の音声はマイクロフォン５８に入力して伝送される。フィードバックによるノイズが発生した場合、エコー消去回路４４３によってノイズを解決する。通話の内容を他人に聞かれたくない場合はイヤホーンジャク５５と、マイクロフォンジャック５７に別途受話器セットなどを接続し、音声をイヤホーンから出力させる。通話の過程においては、音量調整ボタンまたは音調調整ボタンを調整することによって、好ましい通話の品質が得られる。特殊な情況においては、ミュートボタンを利用してミュートの状態に切換えることができる。よって、使用上便利であり、実用的である。
【００２６】
上述するインターネットテレフォン機能を利用して通話する場合、図３に開示するセレクトスイッチ５４の録音ボタンを利用して通話の内容を録音することができる。よって、通話の内容を記録してレポートに編集する場合、などに便利である。また、係る録音の操作と個人ファイルへのアクセス機能とを合わせ用いることができる。
【００２７】
図４に開示するように、光学式マウス１の底面にはマルチ・メモリカードソケット４９を設けてあるため、大容量で、且つ互換性を有するチップ式メモリカード２１を挿し込むことによって録音の時間を増加させることができる。
【００２８】
また、光学マウス１に挿入したチップ式メモリカード２１にＭＰ３形式の音楽が保存されている場合は、セレクトスイッチ５４を音楽再生モードに切換えると、再生する音楽にかかる情報、再生情況などが表示装置５２に表示される。
【００２９】
光学式マウス１のデータアクセス機能を利用して、コンピュータに保存したデータにアクセスする場合、マルチ・メモリカードソケット４９の仕様に対して互換性を有するチップ式メモリカード２１を挿入し、セレクトスイッチ５４を操作して多層プリント回路４のインタフェイス・スイッチング回路４６と、ＵＳＢハブ回路４０とを電気的に接続し、且つパーソナルコンピュータ３に接続する。この場合、パーソナルコンピュータ３は、該回路を大容量保存装置として分類し、内蔵された適宜なドライバープログラムを起動して、パーソナルコンピュータ３から光学式マウス１にデータファイルを出力し、チップ式メモリカード２１内に保存するか、もしくは光学式マウス１内において該ファイルデータを読み取るように制御する。
【００３０】
以上から明かなようにこの考案による光学式マウス１は、セレクトスイッチ５４を操作することによってインターネットテレフォンで通話したり、受話器を持つことなくインターネットテレフォン会議を行ったりする機能が得られる。また、通話の内容を録音し、保存することができ、データファイルにアクセスすることができ、音楽データを再生、保存する機能を有する。
【００３１】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００３２】
【図１】この考案による光学式マウスの回路の構成を示したブロック図である。
【図２】この考案による光学式マウスの外観を示した斜視図である。
【図３】この考案による光学式マウスを他の角度から見た場合の斜視図である。
【図４】この考案による光学式マウスをその他の角度から見た場合の斜視図である。
【符号の説明】
【００３３】
１ 光学マウス
１０ ＵＳＢケーブル
２ 光ディスク
２１ チップ式メモリカード
３ パーソナルコンピュータ
３０ ＵＳＢポート
４ 多層プリント回路
４０ ＵＳＢハブ回路
４１ マウス専用集積回路
４２ 光学センサ回路
４３ ディスプレー制御回路
４４ システム制御回路
４４１ ＵＳＢボイスコントロール回路
４４２ ボイスコーディック回路
４４３ エコー消去回路
４５ ファンクション選択回路
４６ インタフェイス・スイッチング回路
４７ ＵＳＢストレージ制御集積回路
４８ ＭＰ３プレーヤー専用集積回路
４９ マルチ・メモリカードソケット
５０ マウスホイール
５１ マウスボタン
５２ 表示装置
５３ 制御ボタン
５４ セレクトスイッチ
５５ イヤホーンジャック
５６ スピーカー
５７ マイクロフォンジャック
５８ マイクロフォン
【図１】
0003129174.tif 000003
【図２】
0003129174.tif 000004
【図３】
0003129174.tif 000005
【図４】
0003129174.tif 000006